(57)【特許請求の範囲】
【請求項１】
ＤＶＤビデオ規格の映像データからサブピクチャデータを検索し、該サブピクチャデータを解析して、表示画面を複数に分割してなる複数の表示領域のうち何れの表示領域に前記サブピクチャが表示されるかを解析するサブピクチャ解析手段と、所定のオンスクリーン表示データを解析して、前記複数の表示領域のうち何れかの表示領域に前記オンスクリーン表示がなされるかを解析するオンスクリーン表示解析手段と、前記サブピクチャ解析手段の解析と前記オンスクリーン表示解析手段の解析とに基づき、前記サブピクチャと前記オンスクリーン表示とが重ならないように前記オンスクリーン表示の表示位置を制御するオンスクリーン表示制御手段とを備え、前記複数の表示領域には予め優先順位が設定され、前記オンスクリーン表示制御手段は、前記複数の表示領域毎に設定された優先順位に従って、前記サブピクチャ解析手段により解析されたサブピクチャが表示される表示領域と異なる表示領域に、前記オンスクリーン表示の表示位置を変更することを特徴とする映像処理装置。
【請求項２】
ＤＶＤビデオ規格の映像データからサブピクチャデータを検索し、該サブピクチャデータを解析して、表示画面を複数に分割してなる複数の表示領域のうち何れの表示領域に前記サブピクチャが表示されるかを解析し、所定のオンスクリーン表示データを解析して、前記複数の表示領域のうち何れかの表示領域に前記オンスクリーン表示がなされるかを解析し、前記複数の表示領域には予め優先順位が設定されるとともに、前記サブピクチャデータの解析と前記オンスクリーン表示データの解析とに基づき、前記複数の表示領域毎に設定された優先順位に従って、サブピクチャが表示される表示領域と異なる表示領域に、前記オンスクリーン表示の表示位置を変更する、ことを特徴とする映像処理方法。
【請求項３】
ＤＶＤビデオ規格の映像及び音声データをデコードして映像信号及び音声信号を生成するデコーダと、前記映像信号に基づく各種映像を表示画面上の所定位置に表示する映像表示手段と、前記音声信号に基づく各種音声を出力する音声出力手段と、請求項１に記載の映像処理装置と、前記オンスクリーン表示を前記映像信号に基づく各種映像に重ね合わせながら、前記オンスクリーン表示制御手段により制御された前記表示画面上の表示位置にオンスクリーン表示を表示するオンスクリーン表示手段と、を備えることを特徴とするＤＶＤビデオ装置。
【発明の詳細な説明】
【０００１】
【発明の属する技術分野】
本発明は、表示画面上において主映像等に重ね合わせて表示されるＯＳＤを制御するための映像処理装置、映像処理方法、及びＤＶＤビデオ装置に関する。
【０００２】
【従来の技術】
従来、ＤＶＤ−Ｖｉｄｅｏ（以下、「ＤＶＤビデオ」と呼ぶ。）を再生する際、該ＤＶＤビデオからＭＰＥＧ映像データと、サブピクチャデータとを抽出し、ＭＰＥＧ映像にサブピクチャを重ね合わせて表示画面上に表示させるＤＶＤビデオ装置が実現されている。また、ＤＶＤビデオからではなく、テレビジョン放送信号からテレビジョン映像信号と、キャプション信号とを受信し、テレビジョン映像にキャプションを重ね合わせて表示画面上に表示させるテレビジョン受像装置も実現されている。
例えば、ＤＶＤビデオ装置においてＭＰＥＧ映像が映画又はコンサート映像等の場合、当該ＤＶＤビデオ装置は、ＭＰＥＧ映像である映画又はコンサート映像等に、サブピクチャである字幕又はスーパー等を重ね合わせて表示画面上に表示させる。また、このようなＤＶＤビデオ装置は、ＤＶＤビデオを再生中に、ユーザによる操作指示に応答してオンスクリーン表示（以下、「ＯＳＤ」と呼ぶ。）信号を受信すると、サブピクチャが重ね合わされて表示されているＭＰＥＧ映像に、更にＯＳＤを重ねて表示画面上に表示させる。
【０００３】
【発明が解決しようとする課題】
上記ＤＶＤビデオ装置においては、ＭＰＥＧ映像にサブピクチャを重ね合わせて表示している表示画面上に、更にＯＳＤを重ねて表示させる際、ＯＳＤの表示位置が固定されているため、ＯＳＤがサブピクチャと重なって表示されるという問題が生じていた。例えば、映画の映像上に字幕が表示されている場合に、ユーザが出力音量を調節しようとすると、音量調節バーが字幕上に重なって表示され、ユーザが字幕を読めなくなる等の問題が生じていた。
同様に、上記テレビジョン受像装置においても、テレビジョン映像にキャプションを重ね合わせて表示している表示画面上に、更にＯＳＤを重ねて表示させる際、ＯＳＤがキャプションと重なって表示されるという問題が生じていた。この問題を解決するための手段として、テレビジョン受像装置に関しては、特開平７−２７４１４０において、キャプションと重なることなくＯＳＤを表示画面上に表示させる技術が開示されている。
【０００４】
そこで、本発明の課題は、ＤＶＤビデオを再生中に、ＯＳＤをサブピクチャと重なることなく表示画面上に表示させるための映像処理装置、映像処理方法、及びＤＶＤビデオ装置を提供することである。
【０００５】
【課題を解決するための手段】
本発明の映像処理装置は、ＤＶＤビデオ規格の映像データからサブピクチャデータを検索し、該サブピクチャデータを解析して、表示画面を複数に分割してなる複数の表示領域のうち何れの表示領域に前記サブピクチャが表示されるかを解析するサブピクチャ解析手段と、所定のオンスクリーン表示データを解析して、前記複数の表示領域のうち何れかの表示領域に前記オンスクリーン表示がなされるかを解析するオンスクリーン表示解析手段と、前記サブピクチャ解析手段の解析と前記オンスクリーン表示解析手段の解析とに基づき、前記サブピクチャと前記オンスクリーン表示とが重ならないように前記オンスクリーン表示の表示位置を制御するオンスクリーン表示制御手段と、を備え、前記複数の表示領域には予め或いは表示される対象に応じて優先順位が対応付けられ、前記オンスクリーン表示制御手段は、前記複数の表示領域にそれぞれ対応づけられた優先順位に従って、前記サブピクチャ解析手段により解析されたサブピクチャが表示される表示領域と異なる表示領域に、前記オンスクリーン表示の表示位置を変更することを特徴とする。
【０００６】
ここで、ＤＶＤビデオ規格の映像データのサブピクチャデータは、例えば、映画又は音楽映像作品等の字幕又はスーパー等の文字等がランレングスコードで表されているデータである。また、オンスクリーン表示データは、出力音量の調節バー、各種映像の調節メニュ等のフォントデータ又は圧縮データ等である。
【０００７】
本発明の映像処理装置によれば、サブピクチャ解析手段により、ＤＶＤビデオ規格の映像データからサブピクチャデータを検索し、該サブピクチャデータを解析して、表示画面上でのサブピクチャの表示位置を取得し、オンスクリーン表示解析手段により、所定のオンスクリーン表示データを解析して、前記表示画面上でのオンスクリーン表示の表示位置を取得し、オンスクリーン表示制御手段により、前記サブピクチャ解析手段により取得されたサブピクチャの表示位置と異なるように、前記オンスクリーン表示解析手段により取得されたオンスクリーン表示の表示位置を制御する。
【０００８】
また、本発明の映像処理方法は、ＤＶＤビデオ規格の映像データからサブピクチャデータを検索し、該サブピクチャデータを解析して、表示画面を複数に分割してなる複数の表示領域のうち何れの表示領域に前記サブピクチャが表示されるかを解析し、所定のオンスクリーン表示データを解析して、前記複数の表示領域のうち何れかの表示領域に前記オンスクリーン表示がなされるかを解析し、前記複数の表示領域には予め或いは表示される対象に応じて優先順位が対応付けられるとともに、前記サブピクチャデータの解析と前記オンスクリーン表示データの解析とに基づき、前記複数の表示領域にそれぞれ対応づけられた優先順位に従って、サブピクチャが表示される表示領域と異なる表示領域に、前記オンスクリーン表示の表示位置を変更する、ことを特徴とする。
【０００９】
したがって、上記映像処理装置又は映像処理方法によれば、サブピクチャの表示位置に基づいてオンスクリーン表示の表示位置を制御できるので、サブピクチャと重なることなくオンスクリーン表示を表示画面上に表示させることが可能になる。よって、映画の字幕等のサブピクチャが表示されている表示画面上に、音量調節バー等のオンスクリーン表示を表示しても、音量調節バーが字幕に重なってユーザが字幕を読めなくなることもなく、より見やすい表示画面をユーザに提供することが可能になる。
【００１１】
また、上記映像処理装置によれば、サブピクチャ及びオンスクリーン表示の表示位置をそれぞれ表示領域毎に取得し、オンスクリーン表示がサブピクチャに重ならないようにオンスクリーン表示の表示位置を表示領域毎に変更できるので、表示位置の取得処理及び変更処理をより容易に且つ早く実行することが可能になる。よって、サブピクチャが表示されている表示画面上にオンスクリーン表示を頻繁に表示する場合であっても、迅速にオンスクリーン表示の表示位置を設定することができ、常に見やすい表示画面をユーザに提供することが可能になる。
【００１３】
また、上記映像処理装置によれば、表示画面上の複数の表示領域に対して、サブピクチャが表示される頻度等を表示領域毎に考慮して予め優先順位を付けておくことにより、オンスクリーン表示がサブピクチャに重ならないようにオンスクリーン表示の表示領域をより容易に且つ早く変更することができる。
【００１４】
また、本発明のＤＶＤビデオ装置は、
ＤＶＤビデオ規格の映像及び音声データをデコードして映像信号及び音声信号を生成するデコーダと、
前記映像信号に基づく各種映像を表示画面上の所定位置に表示する映像表示手段と、
前記音声信号に基づく各種音声を出力する音声出力手段と、
上記の映像処理装置と、
前記オンスクリーン表示を前記映像信号に基づく各種映像に重ね合わせながら、前記オンスクリーン表示制御手段により制御された前記表示画面上の表示位置にオンスクリーン表示を表示するオンスクリーン表示手段と、
を備えることを特徴とする。
【００１５】
したがって、上記ＤＶＤビデオ装置によれば、サブピクチャの表示位置に基づいてオンスクリーン表示の表示位置を制御できるので、サブピクチャと重なることなくオンスクリーン表示を表示画面上に表示させることが可能になる。よって、より見やすい表示画面をユーザに提供することが可能になる。
【００１６】
【発明の実施の形態】
以下、本発明を好適に適用した実施形態におけるＤＶＤ（Digital Versatile Disc）プレーヤ１について、図１〜５を参照して説明する。
本実施形態のＤＶＤプレーヤ１は、ＤＶＤビデオ規格の映像及び音声データをデコードして映像信号及び音声信号を生成し、前記映像データからサブピクチャデータを検索し、該サブピクチャデータを解析して、表示画面上でのサブピクチャの表示位置を取得し、所定のオンスクリーン表示（On Screen Display；以下、「ＯＳＤ」と呼ぶ。）データを解析して、前記表示画面上でのＯＳＤの表示位置を取得する。そして、ＤＶＤプレーヤ１は、前記サブピクチャの表示位置と前記ＯＳＤの表示位置とに基づいて、前記表示画面上においてＯＳＤがサブピクチャと異なる位置に表示されるようにＯＳＤの表示位置を制御する。そして、ＤＶＤプレーヤ１は、前記ＯＳＤを前記映像信号に基づく主映像、サブピクチャ及びハイライトに重ね合わせながら、制御された前記表示画面上の表示位置に表示するとともに、前記音声信号に基づく各種音声を出力する。
【００１７】
まず、本発明の実施形態におけるＤＶＤプレーヤ１の全体構成について、図１を参照して説明する。図１は、ＤＶＤプレーヤ１の全体構成の概略を示すブロック図である。
本実施形態のＤＶＤプレーヤ１は、ＤＶＤビデオ規格に準じて映画又は音楽映像作品等を再生可能な装置である。また、このＤＶＤプレーヤ１は、出力音量の調節バー、各種映像の調節メニュ等のＯＳＤを主映像等の上に重ねて表示するＯＳＤ機能を備えている。
【００１８】
図１に示すように、本実施形態のＤＶＤプレーヤ１は、チューナ１０と、ビデオコンバータ１１と、ＤＡコンバータ１２と、ＡＶデコーダ１３と、ＳＤＲＡＭ１４と、ＡＴＡＰＩ１５と、ＳＤＲＡＭ１６と、ディスクドライブ１７とを有する映像及び音声のデータ処理系ブロックを備える。更に、ＤＶＤプレーヤ１は、主制御部１８と、フラッシュメモリ１９と、ＥＥＰＲＯＭ２０と、副制御部２１と、操作キー２２と、受光部２３と、表示部２４とを備える。
【００１９】
チューナ１０は、アンテナが受信した信号の中から好ましい信号を選択し、選択した信号を後述するＡＴＡＰＩ１５に出力する。
ビデオコンバータ１１は、後述するＡＶデコーダ１３から出力されたＲＧＢビデオ信号を所定形式の輝度信号と色信号とに変換し、ビデオ出力端末に出力する。
ＤＡコンバータ（以下、「ＤＡＣ」と呼ぶ。）１２は、後述するＡＶデコーダ１３から出力されたデジタルオーディオ信号をアナログオーディオ信号に変換し、オーディオ出力端末に出力する。
なお、前記ビデオ出力端末及び前記オーディオ出力端末は、テレビジョン等の映像表示装置（図示省略）に接続されており、前記輝度信号と前記色信号とに基づいて映像表示装置の表示画面に各種映像が表示され、前記アナログオーディオ信号に基づいて映像表示装置のスピーカから各種音声が出力される。
【００２０】
ＡＶデコーダ１３は、後述するディスクドライブ１７によって読み出されたＤＶＤビデオ規格の映像及び音声データをＡＴＡＰＩ１５を介して受信する。ＤＶＤビデオ規格の映像データは、映画又は音楽映像作品等の主映像がＭＰＥＧにより圧縮されたＭＰＥＧ主映像データと、字幕又はスーパー等の文字等がランレングスコードで表されているサブピクチャデータと、ハイライトデータとを含んでいる。そして、ＡＶデコーダ１３は、それら映像及び音声データに対してデコード処理等を行い、ＭＰＥＧ主映像、サブピクチャ、及びハイライトを表示するためのＲＧＢビデオ信号と、ＰＣＭ（Pulse Code Modulation）形式のオーディオ信号とを生成する。
さらに、ＡＶデコーダ１３は、後述する主制御部１８の制御に基づき、ＯＳＤの表示指示を受信すると、フラッシュメモリ１９に格納されている出力音量の調節バー、又は各種映像の調節メニュ等のフォントデータ又は圧縮データ等のＯＳＤデータに対してデコード処理等を行い、ＯＳＤを表示するためのＲＧＢビデオ信号を生成する。なお、詳細については後述するが、前記生成されたＲＧＢビデオ信号に基づいてそのままサブピクチャ及びＯＳＤが映像表示装置の表示画面上に表示されるとＯＳＤがサブピクチャに重なってしまう場合（図４参照）であっても、ＯＳＤがサブピクチャに重ならないように主制御部１８がＯＳＤの表示位置を設定するので、ＡＶデコーダ１３は、サブピクチャに重ならないようにＯＳＤを表示するためのＲＧＢビデオ信号を生成する。
【００２１】
そして、ＡＶデコーダ１３は、ＲＧＢビデオ信号を生成すると、生成されたＲＧＢビデオ信号をビデオコンバータ１１に、デジタルオーディオ信号をＤＡＣ１２に、それぞれ出力する。したがって、前記ビデオコンバータ１１がＲＧＢビデオ信号を受信し、そのＲＧＢビデオ信号を所定形式の輝度信号と色信号とに変換してビデオ出力端末に出力すると、ＤＶＤプレーヤ１にビデオ出力端末及びオーディオ出力端末を介して接続されている映像表示装置の表示画面に、図２に示すようなＭＰＥＧ主映像、サブピクチャ、ハイライト、及びＯＳＤの順に各種映像が表示される。
【００２２】
図２は、ＤＶＤプレーヤ１に接続される映像表示装置の表示画面に表示されるデータを模式的に示した図である。
図２に示すように、ユーザから見ると、輝度信号及び色信号に基づいて、まずＭＰＥＧ主映像が表示画面に表示され、次にＭＰＥＧ主映像の上にサブピクチャが表示され、次にサブピクチャの上にハイライトが表示され、そして、ＯＳＤがある場合、サブピクチャの上にＯＳＤが表示される。したがって、サブピクチャの表示位置とＯＳＤの表示位置とが重なっている場合、ＯＳＤが重なっているサブピクチャの一部がＯＳＤにより見えなくなるという場合が生じるのである。
【００２３】
ＳＤＲＡＭ（Synchronous Dynamic Random Access Memory）１４は、ＡＶデコーダ１３が各種デコード処理を行う際に使用される作業用メモリである。
【００２４】
ＡＴＡＰＩ（AT Attachment Pachet Interface）１５は、後述する主制御部１８の制御に基づき、ＤＶＤビデオＤ１からデータを読み出すように指示するコマンドをディスクドライブ１７に出力し、ディスクドライブ１７によってＤＶＤビデオＤ１から読み出されたデータをディスクドライブ１７から読み出し、そのデータをＡＶデコーダ１３に転送する。
ＳＤＲＡＭ１６は、ＡＴＡＰＩ１５がディスクドライブ１７からデータを読み出す際に使用される作業用メモリである。
ディスクドライブ１７は、ＤＶＤビデオＤ１を回転させるディスクモータ１７ａと、回転しているＤＶＤビデオＤ１からデータを読み書きするヘッド部１７ｂとを有している。
【００２５】
主制御部１８は、主に前記映像及び音声のデータ処理系ブロックの制御を行う。すなわち、主制御部１８は、ＡＴＡＰＩ１５がディスクドライブ１７からＤＶＤビデオＤ１の映像及び音声データを読み出してＡＶデコーダ１３に転送するように、ＡＴＡＰＩ１５を制御する。また、主制御部１８は、ＡＶデコーダ１３が前記映像及び音声データに対してデコード処理を行ってＭＰＥＧ主映像、サブピクチャ、及びハイライトを表示するためのＲＧＢビデオ信号と、オーディオ信号とを生成するように、ＡＶデコーダ１３を制御する。
【００２６】
さらに、主制御部１８は、後述する副制御部２１を介してユーザのＯＳＤの操作指示を受信し、前記映像及び音声データ中にサブピクチャデータが含まれていると判断すると、図３に示すような表示領域毎にサブピクチャの表示位置を解析する。また、主制御部１８は、フラッシュメモリ１９からＯＳＤデータを読み出し、サブピクチャの表示位置を解析する場合と同様に、図３に示すような表示領域毎にＯＳＤの表示位置を解析する。
そして、主制御部１８は、サブピクチャ及びＯＳＤの表示位置を解析した結果、図４に示すようにＯＳＤがサブピクチャに重なると判断すると、ＯＳＤがサブピクチャに重ならないように、図３に示すような各表示領域に対して予め決定されている優先順位に従って、表示領域毎にＯＳＤの表示位置を設定する。そして、主制御部１８は、ＡＶデコーダ１３が前記ＯＳＤの表示位置に基づいてＯＳＤデータに対してデコード処理を行ってＯＳＤを表示するためのＲＧＢビデオ信号を生成するように、ＡＶデコーダ１３を制御する。
【００２７】
図３は、ＤＶＤプレーヤ１に接続された映像表示装置の表示画面２が複数の表示領域に分割されている画面例である。
図３に示すように、本実施形態において、ＤＶＤプレーヤ１によって生成された各種映像を表示する映像表示装置の表示画面２は、各表示対象の表示位置を解析し易くするために９つの表示領域に分割されており、それぞれの表示領域には、２−１〜２−９のいずれかの番号が対応付けられている。そして、上述したように、主制御部１８は、サブピクチャの表示位置を解析するために、サブピクチャが表示画面２のどの表示領域にあるのかを解析する。同様に、主制御部１８は、ＯＳＤの表示位置を解析するために、ＯＳＤが表示画面２のどの表示領域にあるのかを解析する。
また、表示画面２のそれぞれの表示領域には、ＯＳＤの表示位置を設定し易くするために優先順位が予め対応付けられている。例えば、表示領域２−９には最も高い優先順位が付けられており、表示領域２−３には２番目に高い優先順位が付けられており、表示領域２−６には３番目に高い優先順位が付けられている。
【００２８】
本実施形態においては、映像表示装置の表示画面２を９つの表示領域に分割し、この分割表示領域毎に各表示対象の表示位置を解析することとして説明したが、表示画面２をより少ない表示領域に分割してもよいし、より多くの表示領域に分割してもよい。また、本実施形態においては、表示領域２−９に最も高い優先順位を付け、表示領域２−３に次に高い優先順位を付け、表示領域２−６に次に高い優先順位を付けることとして説明したが、表示される対象に応じて各表示領域に優先順位を付けてもよい。
【００２９】
図４は、サブピクチャ及びＯＳＤが映像表示装置の表示画面２に表示されている画面例である。
図４に示すように、主制御部１８は、表示画面２の下方部分にサブピクチャであるサブピクチャＳＰ１を表示しようとする場合、サブピクチャＳＰ１の表示位置を表示領域２−７、２−８及び２−９と解析する。また、主制御部１８は、表示画面２において最も優先順位が高い表示領域２−９にＯＳＤであるＯＳＤ１を表示しようとする場合、ＯＳＤ１がサブピクチャＳＰ１に重なると判断し、表示領域２−９の次に優先順位が高い表示領域２−３にＯＳＤ２としてＯＳＤを表示するように、ＯＳＤの表示位置を設定する。したがって、表示画面２上において、サブピクチャＳＰ１が表示領域２−７〜２−９に表示され、ＯＳＤ２が表示領域２−３に表示されるので、ユーザはサブピクチャ及びＯＳＤの全部分を見ることができる。
【００３０】
図１に示すフラッシュメモリ１９は、出力音量の調節バー、各種映像の調節のメニュ等を表示するＯＳＤ機能において使用されるフォントデータ又は圧縮データ等のＯＳＤデータを格納している。そして、フラッシュメモリ１９は、主制御部１８の制御に基づき、格納しているＯＳＤデータをＡＶデコーダ１３に出力する。
ＥＥＰＲＯＭ（Electrically Erasable and Programmable Rom）２０は、各種設定データを保存している。
【００３１】
副制御部２１は、主制御部１８の制御に基づき、チューナ１０による信号選択、並びに、後述する操作キー２２及び表示部２４を備える操作パネル（図示省略）からの操作信号の入力及び操作パネルへの表示信号の出力等を制御する。また、副制御部２１は、主制御部１９の制御に基づき、主制御部１８によるＤＶＤビデオＤ１の映像及び音声データに対する解析が完了してから経過時間を計測して、その計測時間を主制御部１８に出力する。
操作キー２２は、操作パネル上に設けられ、ユーザにより操作可能な各種操作キーを備えている。そして、操作キー２２は、ユーザにより当該操作キー２２の中のいずれかの操作キーが操作されると、操作された操作キーに対応する操作信号を発信する。
受光部２３は、ユーザにより操作キー２２が操作されることにより発信される操作信号を受信して、副制御部２１に出力する。
表示部２４は、操作パネル上に設けられ、副制御部２１が操作信号に応じて出力した表示信号を受信すると、受信された表示信号に基づいて動作内容等を表示する。
【００３２】
次に、本実施形態においてＤＶＤプレーヤ１により実行されるＯＳＤの表示位置制御処理について、図５に示すフローチャートに従って説明する。
図５に示すように、ＤＶＤプレーヤ１の主制御部１８は、ＯＳＤの表示位置制御処理を開始すると、ディスクドライブ１７によって読み出されたＤＶＤビデオＤ１の映像データに対する解析が完了したことを示す解析完了フラグがセットされているか否かを判別する（ステップＳ１０１）。そして、主制御部１８は、解析完了フラグがセットされていない、すなわち、ＤＶＤビデオＤ１の映像データに対する解析が完了していないと判断すると（ステップＳ１０１；ＮＯ）、前記映像データ内にサブピクチャデータが含まれているか否かを判別する（ステップＳ１０２）。
【００３３】
主制御部１８は、前記映像データ内にサブピクチャデータが含まれていると判断すると（ステップＳ１０２；ＹＥＳ）、サブピクチャを表示することを示すサブピクチャの表示設定がＯＮであるか否かを判別する（ステップＳ１０３）。
そして、主制御部１８は、サブピクチャの表示設定がＯＮであると判断すると（ステップＳ１０３；ＹＥＳ）、ＯＳＤを表示するとサブピクチャと重なる可能性があるので、サブピクチャデータを解析し、サブピクチャが表示される表示位置情報を取得する（ステップＳ１０４）。そして、主制御部１８は、前記解析完了フラグをセットし（ステップＳ１０５）、ステップＳ１０４において取得されたサブピクチャの表示位置情報に基づいて、ＯＳＤがサブピクチャに重なることなく表示されるようにＯＳＤの表示位置を設定する（ステップＳ１０６）。そして、主制御部１８は、本ＯＳＤ表示位置制御処理を終了する。
【００３４】
一方、主制御部１８は、ステップＳ１０２において、前記映像データ内にサブピクチャデータが含まれていないと判断する（ステップＳ１０２；ＮＯ）、又は、ステップＳ１０３において、前記映像データ内にサブピクチャデータが含まれているが、そのサブピクチャの表示設定がＯＮでないと判断すると（ステップＳ１０３；ＮＯ）、ＯＳＤを表示してもサブピクチャと重なる可能性がないので、本ＯＳＤ表示位置制御処理をそのまま終了する。
【００３５】
ステップＳ１０１において、主制御部１８は、解析完了フラグがセットされている、すなわち、ＤＶＤビデオＤ１の映像データに対する解析が完了していると判断すると（ステップＳ１０１；ＹＥＳ）、ＤＶＤビデオＤ１の映像データに対する解析が完了してからの計測時間を副制御部２１から読み込んで、計測時間が所定時間を超過しているか否かを判別する（ステップＳ１０７）。そして、主制御部１８は、ＤＶＤビデオＤ１の映像データに対する解析を完了してから所定時間が経過したと判断すると（ステップＳ１０７；ＹＥＳ）、解析完了フラグをリセットする（ステップＳ１０８）。
一方、主制御部１８は、ＤＶＤビデオＤ１の映像データに対する解析を完了してから所定時間が経過していないと判断すると（ステップＳ１０７；ＮＯ）、解析完了フラグをリセットすることなく、ステップＳ１０９へ移行する。
【００３６】
主制御部１８は、ＤＶＤビデオＤ１の映像データが再生されている際に、通常、ＯＳＤを表示することを示すＯＳＤの表示設定がＯＮであるか否かを判別する（ステップＳ１０９）。そして、主制御部１８は、ＯＳＤの表示設定がＯＮであると判断すると（ステップＳ１０９；ＹＥＳ）、予め設定されている表示位置にＯＳＤを表示し（ステップＳ１１０）、本ＯＳＤ表示位置制御処理を終了する。
一方、主制御部１８は、ＯＳＤの表示設定がＯＮでないと判断すると（ステップＳ１０９；ＮＯ）、ＯＳＤを表示することなく、本ＯＳＤ表示位置制御処理を終了する。
【００３７】
以上のように、本実施形態のＤＶＤプレーヤ１によれば、サブピクチャの表示位置に基づいてＯＳＤの表示位置を設定するので、ＯＳＤがサブピクチャに重ならないようにＯＳＤを表示画面上に表示することができる。
【００３８】
なお、本発明は、上記実施の形態の内容に限られるものではなく、本発明の趣旨を逸脱しない範囲で適宜変更可能である。
【００３９】
【発明の効果】
本発明の映像処理装置又は映像処理方法によれば、サブピクチャの表示位置に基づいてオンスクリーン表示の表示位置を制御できるので、サブピクチャと重なることなくオンスクリーン表示を表示画面上に表示させることが可能になる。よって、映画の字幕等のサブピクチャが表示されている表示画面上に、音量調節バー等のオンスクリーン表示を表示しても、音量調節バーが字幕に重なってユーザが字幕を読めなくなることもなく、より見やすい表示画面をユーザに提供することが可能になる。
【００４０】
また、本発明の映像処理装置によれば、サブピクチャ及びオンスクリーン表示の表示位置をそれぞれ表示領域毎に取得し、オンスクリーン表示がサブピクチャに重ならないようにオンスクリーン表示の表示位置を表示領域毎に変更できるので、表示位置の取得処理及び変更処理をより容易に且つ早く実行することが可能になる。よって、サブピクチャが表示されている表示画面上にオンスクリーン表示を頻繁に表示する場合であっても、迅速にオンスクリーン表示の表示位置を設定することができ、常に見やすい表示画面をユーザに提供することが可能になる。
【００４１】
さらに、本発明の映像処理装置によれば、表示画面上の複数の表示領域に対して、サブピクチャが表示される頻度等を表示領域毎に考慮して予め優先順位を付けておくことにより、オンスクリーン表示がサブピクチャに重ならないようにオンスクリーン表示の表示領域をより容易に且つ早く変更することができる。
【００４２】
本発明のＤＶＤビデオ装置によれば、サブピクチャの表示位置に基づいてオンスクリーン表示の表示位置を制御できるので、サブピクチャと重なることなくオンスクリーン表示を表示画面上に表示させることが可能になる。よって、より見やすい表示画面をユーザに提供することが可能になる。
【図面の簡単な説明】
【図１】本発明の実施形態におけるＤＶＤプレーヤ１の全体構成の概略を示すブロック図である。
【図２】ＤＶＤプレーヤ１に接続される映像表示装置の表示画面に表示されるデータを模式的に示した図である。
【図３】ＤＶＤプレーヤ１に接続される映像表示装置の表示画面２が複数の表示領域に分割されている画面例である。
【図４】映像表示装置の表示画面２にサブピクチャ及びＯＳＤが表示されている画面例である。
【図５】ＤＶＤプレーヤ１によるＯＳＤの表示位置制御処理に係る動作の一例を示すフローチャートである。
【符号の説明】
１    ＤＶＤプレーヤ
１０    チューナ
１１    ビデオコンバータ
１２    ＤＡＣ
１３    ＡＶデコーダ
１４    ＳＤＲＡＭ
１５    ＡＴＡＰＩ
１６    ＳＤＲＡＭ
１７    ディスクドライブ
１７ａ    ディスクモータ
１７ｂ    ヘッド部
１８    主制御部
１９    フラッシュメモリ
２０    ＥＥＰＲＯＭ
２１    副制御部
２２    操作キー
２３    受光部
２４    表示部
２    表示画面（映像表示装置）
【図１】
0003714542.tif 000002
【図２】
0003714542.tif 000003
【図３】
0003714542.tif 000004
【図４】
0003714542.tif 000005
【図５】
0003714542.tif 000006